(57)【要約】      （修正有）【課題】乾燥した室内環境であっても、静電霧化機能を安定して発揮させることができる加湿装置を提供する。【解決手段】空気流路３の吹出口側２ａと吸込口側１ａを隔てる隔壁７と、隔壁７に設けた静電霧化装置８とを備え、静電霧化装置８は高電圧が印加される放電極９と、放電極９に対向して設けた対向電極１０と、冷却部１１と放電部１２を設けた熱交換部１３からなり、冷却部１１で放電極９のみを冷却して空気中の水分を付着させる。【選択図】        図１
2008029973.tif 000002
【特許請求の範囲】
【請求項１】
吸込口と吹出口を連通して形成された空気流路に送風機と加湿手段を設けた本体と、前記空気流路の流路を確保しつつ前記吹出口側と前記吸込口側を隔てる隔壁と、前記隔壁に設けた静電霧化装置とを備え、前記静電霧化装置は、高電圧が印加される放電極と、前記放電極に対向して設けた対向電極と、冷却部と放熱部を設けた熱交換部からなり、少なくとも前記放電極と前記対向電極とを前記加湿手段の下流側に位置させるとともに、前記冷却部で前記放電極を冷却して空気中の水分を付着させたことを特徴とする加湿装置。
【請求項２】
前記静電霧化装置は、前記冷却部と前記放熱部を設けた前記熱交換部としてのペルチェ素子を備え、前記ペルチェ素子の前記冷却部に前記放電極を接続するとともに、前記ペルチェ素子の前記放熱部に放熱フィンを接続し構成したことを特徴とする請求項１に記載の加湿装置。
【請求項３】
前記静電霧化装置は、前記隔壁に設けた開口部に嵌着される絶縁性の保持枠を備え、前記保持枠に放電極と対向電極と熱交換部とを一体に搭載して構成したことを特徴とする請求項１または請求項２に記載の加湿装置。
【請求項４】
前記放電極を囲む包囲壁部を前記保持枠に形成し、前記包囲壁部の正面形状を下部が開放した下向きの略コ字形状に形成したことを特徴とする請求項３に記載の加湿装置。
【請求項５】
前記空気流路の前記吹出口側に前記放電極と前記対向電極を配置し、前記空気流路の前記吸込口側に設けた迂回風路に熱交換部の放熱部を配置したことを特徴とする請求項１または請求項２に記載の加湿装置。
【請求項６】
前記空気流路の前記吹出口側に縮小部を設け、前記縮小部の近傍に前記静電霧化装置を配したことを特徴とする請求項１に記載の加湿装置。
【請求項７】
前記空気流路の前記縮小部から前記吹出口に至る流路を拡大するとともに、前記吹出口に風向分散板を設けたことを特徴とする請求項６に記載の加湿装置。
【請求項８】
前記空気流路内の前記静電霧化装置の前記放電極と前記対向電極を覆う風速調整手段を設け、前記風速調整手段を前記放電極に微少風量を供給するように設けたことを特徴とする請求項１または請求項６に記載の加湿装置。
【請求項９】
前記風速調整手段を構成する枠体の下部に開口面積の小さい吸気開口部を設け、前記枠体の上部前面に開口面積の大きい放出開口部を設けたことを特徴とする請求項８に記載の加湿装置。
【請求項１０】
前記放出開口部より下部の前記枠体表面に、前記空気流路の風向きに直交する誘引促進板を突設したことを特徴とする請求項８または請求項９に記載の加湿装置。
【請求項１１】
前記風速調整手段の前記放出開口部を前記空気流路に対して略平行に設け、前記放出開口部に面して前記放電極を設けたことを特徴とする請求項８から請求項１０のいずれかに記載の加湿装置。
【請求項１２】
前記放出開口部に前記空気流路の通風方向に平行な格子を設けたことを特徴とする請求項９から請求項１１のいずれかに記載の加湿装置。
【発明の詳細な説明】
【技術分野】
【０００１】
本発明は、静電霧化装置を備えた加湿装置に関する。
【背景技術】
【０００２】
従来、この種の加湿装置の一例として静電霧化装置が知られている（例えば、特許文献１参照）。
以下、その静電霧化装置について図１２および図１３を参照しながら説明する。
図に示すように、本体ケース１０１は、ミスト発生ケース１０２と、送風・放熱ケース１０３を連通接続して形成し、熱交換部配置口１０４内に熱交換部１０５を嵌合させ、熱交換部１０５はペルチェ素子１０６の吸熱側に冷却部１０７を接続させるとともに、ペルチェ素子１０６の放熱側にフィン形状の放熱部１０８を接続させて形成させている。
また、熱交換部１０５の放熱部１０８は送風・放熱ケース１０３内に位置し、冷却部１０７はミスト発生ケース１０２内に位置し、ミスト発生ケース１０２内において冷却部１０７の中央に円錐台状に隆起させた基台部１０９に放電極１１０の基端部１１１を埋設させ、放電極１１０を冷却部１０７上に立設させて構成している。
【特許文献１】特開２００５−２９６７５３号公報（［００１６］［００１７］図１、図２）
【発明の開示】
【発明が解決しようとする課題】
【０００３】
このような従来の静電霧化装置では、放電極１１０を通過する気流が乾燥状態の場合は、冷却による結露量が少なくなり、静電霧化機能が充分に発揮されない場合がある。そのため、放熱側の放熱部１０８を大きくするか通風量を増やす構造としているが、放熱部１０８が相対的に大きくなるため、静電霧化装置の小型化、高効率化が難しいという課題がある。また、冬場の乾燥状態であっても、小型化した静電霧化装置を用いて静電霧化機能を効率よく発揮できることが要求されている。
【０００４】
本発明は、上記課題を解決するもので、静電霧化装置を小型化でき、静電霧化機能を効率よく発揮させることができる加湿装置を提供することを目的としている。
【課題を解決するための手段】
【０００５】
本発明の加湿装置は上記目的を達成するために、吸込口と吹出口を連通して形成された空気流路に送風機と加湿手段を設けた本体と、前記空気流路の流路を確保しつつ前記吹出口側と前記吸込口側を隔てる隔壁と、前記隔壁に設けた静電霧化装置とを備え、前記静電霧化装置は、高電圧が印加される放電極と、前記放電極に対向して設けた対向電極と、冷却部と放熱部を設けた熱交換部からなり、少なくとも前記放電極と前記対向電極とを前記加湿手段の下流側に位置させるとともに、前記冷却部で前記放電極を冷却して空気中の水分を付着させたものである。
この手段により、静電霧化装置を小型化でき、静電霧化機能を効率よく発揮させることができる加湿装置が得られる。
また、他の手段は、前記静電霧化装置が、前記冷却部と前記放熱部を設けた前記熱交換部としてのペルチェ素子を備え、前記ペルチェ素子の前記冷却部に前記放電極を接続するとともに、前記ペルチェ素子の前記放熱部に放熱フィンを接続し構成したものである。
この手段により、省スペースで放電極を冷却して結露させることができ、また、放熱部の放熱フィン形状も小型化することができる加湿装置が得られる。
また、他の手段は、前記静電霧化装置が、前記隔壁に設けた開口部に装着される絶縁性の保持枠を備え、前記保持枠に放電極と対向電極と熱交換部とを一体に搭載して構成したものである。
この手段により、空気流路の吹出口側と吸込口側とを確実に隔てることができ、また、放熱フィンを発熱部と密接状態で、保持枠に一体に搭載することができる加湿装置が得られる。
また、他の手段は、前記放電極を囲む包囲壁部を前記保持枠に形成し、前記包囲壁部の正面形状を下部が開放した下向きの略コ字形状に形成したものである。
この手段により、放電極からの異常な放電を未然に防ぐことができる加湿装置が得られる。
また、他の手段は、前記空気流路の前記吹出口側に前記放電極と前記対向電極を配置し、前記空気流路の前記吸込口側に設けた迂回風路に熱交換部の放熱部を配置したものである。
この手段により、放電極や周囲に余分な結露水が生成されるのを防ぐことができ、また放電極に適正量の結露水を供給することができる加湿装置が得られる。
また、他の手段は、前記空気流路の前記吹出口側に縮小部を設け、前記縮小部の近傍に前記静電霧化装置を配したものである。
この手段により、負イオン化された微細水滴を加湿気流に乗せやすくすることができる加湿装置が得られる。
また、他の手段は、前記空気流路の前記縮小部から前記吹出口に至る流路を拡大するとともに、吹出口に風向分散板を設けたものである。
この手段により、負イオン化された微細水滴を含む加湿空気が室内に広範囲に拡散することができる加湿装置が得られる。
また、他の手段は、前記空気流路内の前記静電霧化装置の前記放電極と前記対向電極を覆う風速調整手段を設け、前記風速調整手段を前記放電極に微少風量を供給する構成としたものである。
この手段により、放電極に微少風量を供給して安定した静電霧化機能を発揮することができる加湿装置が得られる。
また、他の手段は、前記風速調整手段を構成する枠体の下部に開口面積の小さい吸気開口部を設け、前記枠体の上部前面に開口面積の大きい放出開口部を設けたものである。
この手段により、枠体内で生成された負イオン化された微細水滴を枠体外の空気流路に乗せやすくすることができる加湿装置が得られる。
他の手段は、前記放出開口部より下部の前記枠体表面に、前記空気流路の風向に直交する誘引促進板を突設したものである。
この手段により、負イオン化された微細水滴を枠体外の空気流路側に誘引されて搬送することができる加湿装置が得られる。
また、他の手段は、前記風速調整手段の前記放出開口部を空気流路に対して略平行に設け、前記放出開口部に面して前記放電極を設けたものである。
この手段により、負イオン化された微細水滴を放出開口部を通過して空気流路側へと放出させることができる加湿装置が得られる。
また、他の手段は、前記放出開口部に前記空気流路の通風方向に平行な格子を設けたものである。
この手段により、負イオン化された微細水滴を空気流路側へ確実に誘引することができる加湿装置が得られる。
【発明の効果】
【０００６】
本発明によれば加湿された高湿度の空気中から水分が放電極に結露し付着しやすくなり、冬場の乾燥状態であっても静電霧化機能を効率良く行うことができる加湿装置を提供できる。
また、省スペースで放電極を冷却して結露させることができ、発熱部の放熱フィン形状を小型化することができる加湿装置を提供できる。
また、空気流路の吹出口側と吸込口側とを確実に隔てることができるとともに、放熱フィンを放熱部と密接状態で、保持枠に一体に搭載することができる加湿装置を提供できる。
また、余分な結露水が溜まらないようにして、放電極からの異常な放電を未然に防ぐことができる加湿装置を提供できる。
また、放電極やその周囲に余分な結露水が生成されるのを防ぐことができ、放電極に適正量の結露水を供給することができる加湿装置を提供できる。
また、微細水滴を加湿気流に乗せやすくすることができる加湿装置を提供できる。
また、負イオン化された微細水滴を含む加湿空気が室内に広範囲に拡散することができる加湿装置を提供できる。
また、放電極に微少風量を供給して安定した静電霧化機能を発揮することができる加湿装置を提供できる。
また、枠対内で生成された負イオン化された微細水滴を枠体外の空気流路に乗せやすくすることができる加湿装置を提供できる。
また、負イオン化された微細水滴を枠体外の空気流路側に誘引されて搬送することができる加湿装置を提供できる。
また、負イオン化された微細水滴を、放出開口部を通過して空気流路側へと放出させることができる加湿装置を提供できる。
また、負イオン化された微細水滴を空気流路側へ確実に誘引することができる加湿装置を提供できる。
【発明を実施するための最良の形態】
【０００７】
本発明の請求項１記載の発明は、吸込口と吹出口を連通し形成された空気流路に送風機と加湿手段を設けた本体と、空気流路の流路を確保しつつ吹出口側と吸込口側を隔てる隔壁と、隔壁に設けた静電霧化装置とを備え、静電霧化装置は、高電圧が印加される放電極と、放電極に対向して設けた対向電極と、冷却部と放熱部を設けた熱交換部からなり、少なくとも放電極と対向電極とを加湿手段の下流側に位置させるとともに、冷却部で放電極を冷却して空気中の水分を付着させたものであり、冷却部で放電極を冷却することにより、加湿された高湿度の空気中から水分が放電極に結露し付着しやすくなり、室内が乾燥した使用環境であっても、結露しやすい放電極から対向電極に安定した状態で放電がなされ、冬場の乾燥状態であっても負イオン化された微細水滴を安定して供給できる。また、冷却部の冷却能力を特に大きくすることもないので、放熱部の放熱能力が不充分な条件（放熱部の放熱面積が小さく、放熱部への通過風量や通過風速が少なく、通風温度が高いような条件）であっても静電霧化機能を充分に発揮させることができる。
また、冷却部と放熱部を有する熱交換部を空気流路の吸込口側と吹出口側とを隔てる隔壁に設けて、冷却部と放熱部を空気流路の吸込口側と吹出口側に配することで、熱交換部の熱交換が容易に効率よく行える。
また、請求項２記載の発明は、静電霧化装置が、冷却部と放熱部を設けた熱交換部としてのペルチェ素子を備え、ペルチェ素子の冷却部に放電極を接続するとともに、ペルチェ素子の放熱部に放熱フィンを接続し構成したものであり、小型軽量のペルチェ素子の搭載により、大掛かりな設備を必要とせず、省スペースで放電極を冷却して結露させることができ、また、放電極は高湿気流内にあるので冷却能力を少なく抑えることができ、発熱部の放熱フィン形状も小型化することができる。
また、請求項３記載の発明は、静電霧化装置が、隔壁に設けた開口部に嵌着される絶縁性の保持枠を備え、保持枠に放電極と対向電極および熱交換部を一体に搭載して構成したものであり、隔壁の開口部への着脱が容易に行えて作業性が向上し、また、絶縁性の保持枠が高電圧側の安全を確保するとともに、空気流路の吹出口側と吸込口側とを確実に隔てることができ、また、放熱フィンを小型化できるので、放熱フィンを発熱部と密接状態で、保持枠に一体に搭載することができる。
また、請求項４記載の発明は、放電極を囲む包囲壁部を保持枠に形成し、包囲壁部の正面形状を下部が開放した下向きの略コ字形状に形成したものであり、保持枠の包囲壁部の下部から風を導入しやすくするとともに、上部で風向変更して負イオン化された微細水滴を前方へ案内することができ、また、包囲壁部内で生成された余分な結露水を開放する下方に流下することにより、放電極からの異常な放電を未然に防ぐことができる。
また、請求項５記載の発明は、空気流路の吹出口側に放電極と対向電極を配置し、空気流路の吸込口側に設けた迂回風路に熱交換部の放熱部を配置したものであり、１つの送風機の吹出口側と吸込口側の風速差を利用して、負イオン化された微細水滴の生成を効率よく行うことができ、吸込口側では迂回風路により放熱部を通過する風速を下げることで、放熱能力をさらに少なくして、放電極やその周囲に余分な結露水が生成されるのを防ぐことができる。
また、請求項６記載の発明は、空気流路の吹出口側に縮小部を設け、縮小部の近傍に静電霧化装置を配したものであり、吹出口側の縮小部では狭い領域を加湿空気が通過するため、静電霧化装置で負イオン化された微細水滴を加湿気流に乗せやすくすることができる。
また、請求項７記載の発明は、空気流路の縮小部から吹出口に至る流路を拡大するとともに、吹出口に風向き分散板を設けたものであり、負イオン化された微細水滴を含む加湿空気は、吹出方向に拡大しながら流れ、吹出口に設けた風向分散板によりさらに広く拡大し、室内に広範囲に拡散することができる。
また、請求項８記載の発明は、空気流路内の静電霧化装置の放電極と対向電極を覆う風速調整手段を設け、風速調整手段を放電極に微少風量を供給するものであり、静電霧化装置の位置する空気流路では風速が大きいため、このままでは放電極に結露水を安定して結露させることができないが、風速調整手段が風速の小さいバイパス風路を形成することにより、放電極に付着した結露水を風力で吹き飛ばすことなく放電極に微少風量を供給でき、安定した静電霧化機能を発揮することができる。
また、請求項９記載の発明は、風速調整手段を構成する枠体の下部に開口面積の小さい吸気開口部を設け、枠体の上部前面に開口面積の大きい放出開口部を設けたものであり、枠体の下部に設けた開口面積の小さい吸気開口部は、枠体内への侵入風量を少なく制限するとともに、枠体の上部前面に設けた開口面積の大きい放出開口部は、枠体内で生成された負イオン化された微細水滴を枠体外の空気流路に乗せやすくすることができる。
また、請求項１０記載の発明は、放出開口部より下部の枠体表面に、空気流路の風向に直交する誘引促進板を突設したものであり、誘引促進板で枠体外の加湿気流に乱流を発生させ、一部の気流を高速化して誘引効果を高めることにより、負イオン化された微細水滴は枠体外の空気流路側に誘引されて搬送することができる。
また、請求項１１記載の発明は、風速調整手段の放出開口部を空気流路に対して略平行に設け、放出開口部に面して放電極を設けたものであり、放出開口部を空気流路に対して略平行に設けることで、空気流路側への負イオン化された微細水滴が誘引されやすくなり、さらに放出開口部に面して放電極を設けることで、放電極からのイオン風による押し出し力が働き、負イオン化された微細水滴は放出開口部を通過して空気流路側へと放出される。
また、請求項１２記載の発明は、放出開口部に空気流路の通風方向に平行な格子を設けたものであり、放出開口部付近に発生する乱流を、空気流路の通風方向に平行な格子で整流化することにより、通風方向を揃えて放出開口部付近の誘引力を高め、負イオン化された微細水滴を空気流路側へ確実に誘引することができる。
以下、本発明の実施の形態について図面を参照しながら説明する。
（実施の形態１）
【０００８】
本実施の形態の加湿装置は、図１〜図７に示すように、本体６は吸込口１と吹出口２を連通し形成された空気流路３内に送風機４と加湿手段５を設け、空気流路３の流路を確保しつつ吸込口側１ａと吹出口側２ａを隔てる隔壁７を設け、隔壁７には静電霧化装置８を付設している。静電霧化装置８は高電圧が印加される放電極９と、放電極９に対向して設けた対向電極１０と、冷却部１１と放熱部１２を設けた熱交換部１３からなり、冷却部１１で放電極９を冷却して空気中の水分を付着させている。静電霧化装置８の放電極９、対向電極１０および熱交換部１３の冷却部１１は加湿手段５の下流側となる吹出口側２ａに配置され、また熱交換部１３の放熱部１２は送風機４の上流側となる吸込口側１ａに配置されている。
また、静電霧化装置８は、冷却部１１と放熱部１２を設けた熱交換部１３としてのペルチェ素子１４を備え、ペルチェ素子１４の冷却部１１に放電極９を接続するとともに、放熱部１２に放熱フィン１５を接続している。静電霧化装置８は絶縁性の保持枠１７を備え、保持枠１７には放電極９と対向電極１０および熱交換部１３が一体に搭載されている。保持枠１７を隔壁７に設けた開口部１６に嵌着可能に設け、静電霧化装置８は保持枠１７を介して隔壁７に固定されている。
また、放電極９を囲む包囲壁部１８を保持枠１７に形成し、包囲壁部１８の正面形状を下部が開放した下向きの略コ字形状に形成し、空気流路３の吹出口側２ａに放電極９と対向電極１０を配置し、空気流路３の吸込口側１ａに設けた迂回回路１９に熱交換部１３の放熱部１２を配置している。
【０００９】
上記構成において、空気流路３内に送風機４と加湿手段５を設け、冷却部１１で放電極９を冷却して空気中の水分を付着させるようにしているので、加湿装置の本体６が室内の乾燥した使用環境に置かれていても、冷却部１１に接続する放電極９を冷却することにより、吹出口側２ａでは加湿手段５により加湿された高湿度の空気中から水分が放電極９に結露し付着しやすくなる。すなわち結露しやすい放電極９から対向電極１０に安定した状態で放電がなされ、負イオン化された微細水滴を不足なく生成することができ、室内が冬場の乾燥状態であっても、吹出口２より負イオン化された微細水滴を安定して供給することができる。
また、吹出口側２ａでは高湿度の空気中から水分が放電極９に結露し付着しやすくなるので、吸込口側１ａに設けた冷却部１１の冷却能力を特別大きくする必要もなく、放熱部１２の放熱能力が不充分な条件（放熱部の放熱面積が小さく、また放熱部への通過風量や通過風速が少なく、あるいは通風温度が高いような条件）であっても、静電霧化機能を充分に発揮させることができる。
【００１０】
また、冷却部１１と放熱部１２を有する熱交換部１３を空気流路３の吸込口側１ａと吹出口側２ａとを隔てる隔壁７に設けて、冷却部１１と放熱部１２を空気流路３の吸込口側１ａと吹出口側２ａに配することで、熱交換部１３の熱交換が効率良く行える。
また、静電霧化装置８を、冷却部１１と放熱部１２を設けた熱交換部１３としてのペルチェ素子１４を備え、ペルチェ素子１４の冷却部１１に放電極９を接続するとともに、放熱部１２に放熱フィン１５を接続しているので、小型軽量のペルチェ素子１４の搭載により、大掛りな設備を必要とせず、省スペースで放電極９を冷却して結露させることができる。さらに放電極９は高湿度の気流内にあるので結露しやすく、冷却能力を少なく抑えることができ、放熱部１２の放熱フィン１５の形状も小型化することができる。
また、静電霧化装置８に、隔壁７に設けた開口部１６に嵌着される絶縁性の保持枠１７を備え、保持枠１７に放電極９と対向電極１０と熱交換部１３とを一体に搭載しているので、隔壁７の開口部１６への着脱が容易に行えて作業性を向上することができるとともに、放熱フィン１５を小型化できるので、放熱フィン１５を放熱部１２と密接状態で、保持枠１７に一体に搭載することができる。
また絶縁性の保持枠１７が高電圧側の安全を確保するとともに、空気流路３の吹出口側２ａと吸込口側１ａとを確実に隔てることができる。
また、放電極９を囲む包囲壁部１８を保持枠１７に形成し、包囲壁部１８の正面形状を下部が開放した下向きの略コ字形状に形成しているので、保持枠１７の包囲壁部１８の下部から風を導入しやすくするとともに、上部で風向変更して負イオン化された微細水滴を前方へ案内することができ、さらに包囲壁部１８内で生成された余分な結露水を開放する下方に流下させることにより、放電極９からの異常な放電を未然に防ぐことができる。
また、空気流路３の吹出口側２ａに放電極９と対向電極１０を配置し、空気流路３の吸込口側１ａに設けた迂回回路１９に熱交換部１３の放熱部１２を配置したので、１つの送風機の吹出口側と吸込口側の風速差を利用して、負イオン化された微細水滴の生成を効率よく行うことができ、吸込口側では迂回風路により放熱部の放熱能力をさらに少なくして、放電極やその周囲に余分な結露水が生成されるのを防ぐことができる。
（実施の形態２）
【００１１】
本実施の形態の加湿装置は、図８および図９に示すように、空気流路３Ａの吹出口側２ａに縮小部２０を設け、縮小部２０の近傍に静電霧化装置８Ａを配し、空気流路３Ａの縮小部２０から吹出口２Ａに至る流路を拡大するとともに、吹出口２Ａに風向分散板２１を設けている。
上記構成において、空気流路３Ａの吹出口側２ａに縮小部２０を設け、縮小部２０の近傍に静電霧化装置８Ａを配しているので、吹出口側２ａの縮小部２０では狭い領域を加湿空気が通過するため、静電霧化装置８Ａで負イオン化された微細水滴を加湿気流に乗せやすくすることができる。
また、空気流路３Ａの縮小部２０から吹出口２Ａに至る流路を拡大するとともに、吹出口２Ａに風向分散板２１を設けたので、負イオン化された微細水滴を含む加湿空気は、吹出口２Ａ方向に拡大しながら流れ、吹出口２Ａに設けた風向分散板２１によりさらに拡大し、室内に広範囲に拡散することができる。
（実施の形態３）
【００１２】
本実施の形態の加湿装置は、図１０および図１１に示すように、空気流路３Ｂ内の静電霧化装置８Ｂの放電極９Ａと対向電極１０Ａを覆う風速調整手段２２を設け、風速調整手段２２を放電極９Ａに微小風量を供給するように設け、風速調整手段２２を構成する枠体２３の下部に開口面積の小さい吸気開口部２４を設け、枠体２３の上部前面に開口面積の大きい放出開口部２５を設け、放出開口部２５より下部の枠体２３の表面に空気流路３Ｂの風向に直交する誘引促進板２６を突設している。
また、風速調整手段２２の放出開口部２５を空気流路３Ｂに対して略平行に設け、放出開口部２５に空気流路３Ｂの通風方向に平行な格子２７を設けている。
【００１３】
上記構成において、空気流路３Ｂ内の静電霧化装置８Ｂの放電極９Ａと対向電極１０Ａを覆う風速調整手段２２を設け、風速調整手段２２を放電極９Ａに微小風量を供給するように設けたので、静電霧化装置８Ｂの位置する空気流路３Ｂでは風速が大きいため、このままでは放電極９Ａに結露水を安定して結露させることができないが、風速調整手段２２が風速の小さいバイパス風路を形成し、放電極９Ａに付着した結露水を風力で吹き飛ばすことなく放電極９Ａに微小風量を供給することができ、安定した静電霧化機能を発揮することができる。
また、風速調整手段２２を構成する枠体２３の下部に開口面積の小さい吸気開口部２４を設け、枠体２３の上部前面に開口面積の大きい放出開口部２５を設けているので、枠体２３の下部に設けた開口面積の小さい吸気開口部２４は、枠体２３内への浸入風量を少なく制限するとともに、枠体２３の上部前面に設けた開口面積の大きい放出開口部２５は、枠体２３内で生成された負イオン化された微細水滴を、枠体２３外の空気流路３Ｂに乗せやすくすることができる。
また、放出開口部２５より枠体２３の表面に空気流路３Ｂの風向に直交する誘引促進板２６を突設して設けたので、誘引促進板２６で枠体２３外の加湿気流に乱流を発生させ、一部の気流を高速化して誘引効果を高めることにより、負イオン化された微細水滴は枠体２３外の空気流路３Ｂ側に誘引されて搬送することができる。
また、風速調整手段２２の放出開口部２５を空気流路３Ｂに対して略平行に設け、放出開口部２５に面して放電極９Ａを設けたので、空気流路３Ｂ側へ負イオン化された微細水滴が誘引されやすくなり、さらに放電極９Ａからのイオン風による押し出し力が働き、負イオン化された微細水滴は放出開口部２５を通過して空気流路側へと放出される。
また、放出開口部２５に空気流路３Ｂの通風方向に平行な格子２７を設けたので、放出開口部２５付近に発生する乱流を、空気流路３Ｂの通風方向に平行な格子２７で整流化することにより、通風方向を整えて放出開口部２５付近の誘引力を高め、負イオン化された微細水滴を空気流路３Ｂ側へ確実に誘引することができる。
【産業上の利用可能性】
【００１４】
本発明にかかる加湿装置は、放熱部の放熱能力が不充分な条件であっても静電霧化機能を充分に発揮させることができ、また、熱交換部の熱交換が容易に効率良く行えるという効果を奏し、静電霧化装置を備えた加湿機能付空調装置などに有用である。
【図面の簡単な説明】
【００１５】
【図１】本発明の実施の形態１の加湿装置の静電霧化装置を示す断面図
【図２】同加湿装置の静電霧化装置の斜視図
【図３】同加湿装置の概略縦断面図
【図４】同加湿装置の概略正面断面図
【図５】同加湿装置の斜視図
【図６】同加湿装置の静電霧化装置の組立時の状態を示す断面図
【図７】同加湿装置の静電霧化装置の分解図
【図８】本発明の実施の形態２の加湿装置の概略縦断面図
【図９】同加湿装置の概略正面断面図
【図１０】本発明の実施の形態３の加湿装置の風速調整手段を示す部分斜視図
【図１１】同加湿装置の風速調整手段を示す部分断面図
【図１２】従来の静電霧化装置の断面形状を示す説明図
【図１３】同静電霧化装置の他の断面形状を示す説明図
【符号の説明】
【００１６】
１  吸込口
２  吹出口
２Ａ  吹出口
３  空気流路
３Ａ  空気流路
３Ｂ  空気流路
４  送風機
５  加湿手段
６  本体
７  隔壁
８  静電霧化装置
８Ａ  静電霧化装置
８Ｂ  静電霧化装置
９  放電極
９Ａ  放電極
１０  対向電極
１０Ａ  対向電極
１１  冷却部
１２  放熱部
１３  熱交換部
１４  ペルチェ素子
１５  放熱フィン
１６  開口部
１７  保持枠
１８  包囲壁部
１９  迂回回路
２０  縮小部
２１  風向分散板  
２２  風速調整手段
２３  枠体
２４  吸気開口部
２５  放出開口部
２６  誘引促進板
２７  格子
【図１】
2008029973.tif 000003
【図２】
2008029973.tif 000004
【図３】
2008029973.tif 000005
【図４】
2008029973.tif 000006
【図５】
2008029973.tif 000007
【図６】
2008029973.tif 000008
【図７】
2008029973.tif 000009
【図８】
2008029973.tif 000010
【図９】
2008029973.tif 000011
【図１０】
2008029973.tif 000012
【図１１】
2008029973.tif 000013
【図１２】
2008029973.tif 000014
【図１３】
2008029973.tif 000015